(57)【要約】      （修正有）【課題】多数の段から成る通信機器のラックにおいて、工事する通信機器の段以外の段の通信機器を極めて容易に遮蔽することができる工事用防護シートを提供する。【解決手段】多数の通信機器Ｃが多段に配設されているラック１の工事箇所以外の段の通信機器Ｃを遮蔽する工事用防護シートＡにおいて、ラック１の前面の上端部と下端部にロールカーテン式の上部防護シート２及び下部防護シート３の各ロール支持部４、５を夫々取り付け、上部防護シート２は吊り下げ式とし、当該上部防護シート２の下端部はラック１の前面の両側枠１ａに係止自在とし、下部防護シート３は引き上げ式として、当該下部防護シート３の上端部はラック１の前面の両側枠１ａに係止自在とした。【選択図】図１
0003233328.tif 000002
【実用新案登録請求の範囲】
【請求項１】
多数の通信機器が多段に配設されているラックの工事箇所以外の段の機器を遮蔽する防護シートにおいて、
前記ラックの前面の上端部と下端部にロールカーテン式の上部防護シート及び下部防護シートの各ロール支持部を夫々取り付け、
上部防護シートは吊り下げ式とし、当該上部防護シートの下端部はラック前面の両側枠に係止自在とし、下部防護シートは引き上げ式として、当該下部防護シートの上端部はラック前面の両側枠に係止自在としたことを特徴とする、多段に配設された通信機器のラックの工事用防護シート。
【請求項２】
前記上部防護シート及び下部防護シートの各ロール支持部の取り付けは、各ロール支持部の両端部に設けたフックを、前記ラックの両側枠に多数設けられた穴の一つに引っ掛ける構成としたことを特徴とする、請求項１に記載の多段に配設された通信機器のラックの工事用防護シート。
【請求項３】
前記上部防護シートの下端部及び前記下部防護シートの上端部のラック前面の両側枠に係止自在な構成は、前記下端部及び上端部に設けた磁石を、前記ラック前面の磁性金属から成る両側枠に吸着させる構成としたことを特徴とする、請求項１又は２に記載の多段に配設された通信機器のラックの工事用防護シート。
【請求項４】
前記上部防護シートの下端部及び前記下部防護シートの上端部のラック前面の両側枠に係止自在な構成は、前記下端部及び上端部に設けた粘着テープを、前記ラック前面の両側枠に貼着させる構成としたことを特徴とする、請求項１又は２に記載の多段に配設された通信機器のラックの工事用防護シート。
【請求項５】
前記上部防護シートの下端部と前記下部防護シートの上端部とを、前記ラックの各段の通信機器の上下幅と同じ長さのロープ又は紐で連結したことを特徴とする、請求項１〜３のいずれかに記載の多段に配設された通信機器のラックの工事用防護シート。
【考案の詳細な説明】
【技術分野】
【０００１】
この考案は、多数の通信機器が多段に配設されているラックの、特定の機器の改修工事や増設工事やそれに伴う接続作業等において、作業箇所対象以外の機器や配線を被う工事用防護シートであって、当該工事用防護シートの箇所を容易に変えられる工事用防護シートに関するものである。
【背景技術】
【０００２】
上記多段のラックにおいて、新設のラックに機器を設置する場合は上から順に所定の箇所に設置していけばよいが、機器の増設などの場合は既設の機器の間に新たな機器を設置する場合がある。このような場合、既設の機器等に損傷を与えないように新設の機器の設置箇所以外は、防護シートを被せて養生している。
【０００３】
特許文献１のものは通信用機器の多段のラックの所定箇所の工事に際して、いわゆるロールカーテン式の防護シートを上部及び中部に吊るして設け、これらの防護シートで工事以外の箇所を前記防護シートで被う構成としている。
【０００４】
また、特許文献２は多段の通信機器のラックの前面を被う防護シートの上端及び左右を端縁に設けた鳩目を用いてフックやワイヤによってラックに係止し、必要によって防護シートの下部を巻き上げてこれを止め、工事箇所を露出させ他の箇所を防護シートで被って工事をするものであり、また、前記ラックの前面周囲に沿って矩形枠を係止し、当該矩形枠の両側縁に設けた面ファスナーに複数の絶縁シートの裏面の面ファスナーを張り付けて、複数の絶縁シートで工事箇所以外のラックの段を遮蔽するものである。
【先行技術文献】
【特許文献】
【０００５】
【特許文献１】特開２００７−２６７４７４号公報
【特許文献２】特許第６１６５５５４号公報
【考案の開示】
【考案が解決しようとする課題】
【０００６】
上記特許文献１のものは、ラックの最上段を公示する場合は上部の防護シートを上から２番目に付け替えなければならず、工事するラックの段によって上部の防護シート又は下部の防護シートを付け替えなければならに手間がかかる。
【０００７】
また、上記特許文献２のものは、防護シートが一枚ものの場合は、工事する段が下から２番目以上の段の場合は、工事箇所より下の段は、防護シートで機器を被うことはできない。また、ラックの周縁に係止した矩形枠に複数の絶縁シートを貼るものは、工事箇所の段以外の段機器を複数の絶縁シートで被わなければならず、手間がかかる。
【０００８】
この考案は、上記の点に着目し、多数の段から成る通信機器のラックにおいて、工事する機器の段以外の段の機器を極めて容易に遮蔽することができる、多段に配設された通信機器のラックの工事用防護シートを提供することを目的としたものである。
【課題を解決するための手段】
【０００９】
請求項１の考案は、多数の通信機器が多段に配設されているラックの工事箇所以外の段の通信機器を遮蔽する工事用防護シートにおいて、前記ラックの前面の上端部と下端部にロールカーテン式の上部防護シート及び下部防護シートの各ロール支持部を夫々取り付け、上部防護シートは吊り下げ式とし、当該上部防護シートの下端部はラック前面の両側枠に係止自在とし、下部防護シートは引き上げ式として、当該下部防護シートの上端部はラック前面の両側枠に係止自在とした、多段に配設された通信機器のラックの工事用防護シートとした。
【００１０】
また、請求項２の考案は、前記上部防護シート及び下部防護シートの各ロール支持部の取り付けは、各ロール支持部の両端部に設けたフックを、前記ラックの両側枠に多数設けられた透孔の一つに引っ掛ける構成とした、請求項１に記載の多段に配設された通信機器のラックの工事用防護シートとした。
【００１１】
また、請求項３の考案は、前記上部防護シートの下端部及び前記下部防護シートの上端部のラック前面の両側枠に係止自在な構成は、前記上部防護シートの下端部及び前記下部防護シートの上端部に夫々設けた磁石を、前記ラック前面の磁性金属から成る両側枠に吸着させる構成とした、請求項１又は２に記載の多段に配設された通信機器のラックの工事用防護シートとした。
【００１２】
また、請求項４の考案は、前記上部防護シートの下端部及び前記下部防護シートの上端部のラック前面の両側枠に係止自在な構成は、前記上部防護シートの下端部及び前記下部防護シートの上端部に設けた粘着テープを、前記ラック前面の両側枠に貼着させる構成とした、請求項１又は２に記載の多段に配設された通信機器のラックの工事用防護シートとした。
【００１３】
また、請求項５の考案は、前記上部防護シートの下端部と前記下部防護シートの上端部とを、前記ラックの各段の通信機器の上下幅と同じ長さのロープ又は紐で連結した、請求項１〜３のいずれかに記載の多段に配設された通信機器のラックの工事用防護シートとした、
【考案の効果】
【００１４】
請求項１の考案によれば、多数の通信機器が多段に配設されているラックの工事において、異なる段の機器の工事を順次行う際、上下の防護シートを上下方向にずらしていけば、工事対象以外の段の通信機器を容易に被うことができ、便利である。
【００１５】
また、請求項２の考案によれば、上下の防護シートの各ロール支持部をラックに容易に取り付けることができ、工事を迅速に行うことができる。
【００１６】
また、請求項３及び４の考案によれば、上部防護シートの下端部又は下部防護シートの上端部の、ラックの両側枠への係止及び取り外しを容易かつ迅速に行うことができる。
【００１７】
また、請求項５の考案によれば、上部防護シートの下端部と下部防護シートの上端部とがロープ又は紐で連結されているため、上方に持ち上げる際は上部防護シートのみを、下方に引き下げる際は下部防護シートのみを夫々動かせばよく、また、これらのシートの係止は上部防護シートのみの係止でもよい。このように上下部防護シートの移動が極めて容易に行える。
【図面の簡単な説明】
【００１８】
【図１】この考案の実施の形態例１の工事用防護シートを多段に配設された通信機器のラックに取り付けた状態の正面図である。
【図２】この考案の実施の形態例１の工事用防護シートの上部防護シートの拡大正面図である。
【図３】この考案の実施の形態例１の工事用防護シートの上部防護シートのロール巻き付け部のラックの両側枠への取り付け状態を示す拡大斜視図である。
【図４】この考案の実施の形態例１の工事用防護シートを、前記ラックの最上段部以外の段の通信機器を遮蔽した状態の正面図である。
【図５】この考案の実施の形態例１の工事用防護シートを、前記ラックの最下段部以外の段の通信機器を遮蔽した状態の正面図である。
【図６】この考案の実施の形態例２の工事用防護シートを多段に配設された通信機器のラックに取り付けた状態の正面図である。
【考案を実施するための形態】
【００１９】
（実施の形態例１）
この考案の実施の形態例１の、多段に配設された通信機器のラックへ取り付ける工事用防護シートＡを図１〜図３に基づいて説明する。
【００２０】
図１に示すように、多段に配設された通信機器Ｃのラック１の前面に、上部防護シート２と下部防護シート３が設けられている。前記上部防護シート２のロール支持部４は前記ラック１の前面の上端部に取り付けられ、当該ロール支持部４の軸にロール状に巻き付けられたシート２ａが下方に引き出し自在となっている。また、前記下部防護シート３のロール支持部５は前記ラック１の前面の下端部に取り付けられ、当該ロール支持部５の軸にロール状に巻き付けられたシート３ａが上方に引き出し自在となっている。
【００２１】
これらの上部防護シート２及び下部防護シート３は、いわゆるロールカーテン式の構成で、例えば、ロール支持部４又は５に支持された軸にシート２ａ又は３ａがロール状に巻き付けられ、シート２ａ又は３ａの端部を引っ張れば、ロール上部から繰り出され、前記引張を止めれば任意箇所で止まる。また、シート２ａ又は３ａを巻き戻すには、その端部を一度引き出し、直ぐに力を抜けば、自動的に巻き上がる構成となっている。ただし、この考案で使用するロールカーテン式の上部防護シート２及び下部防護シート３は前記の構成に限定されるものではない。紐を引っ張りシートを引き出す方式のもの等も含まれる。
【００２２】
前記上部防護シート２のラック１への取り付けは、図３に示すように、上部防護シート２のロール支持部４の裏面の両端部に夫々設けたフック６を、ラック１の両側枠１ａの内側面の、上下方向に多数設けられた金具係止穴１ｃの一つに引っ掛け、前記ロール支持部４の両端部をラック１の両側枠１ａに係止して取り付けられている。
【００２３】
また、前記下部防護シート３のロール支持部５も、図示は省略したが、上部防護シート２と同様に、ロール支持部５に設けたフックを前記ラック１の適宜の穴に引っ掛けて前記ラック１の前面の下端部に取り付けられている。なお、前記上部防護シート２及び下部防護シート３の各ロール支持部４又は５のラック１への取り付けは、フック６及び金具係止穴１ｃによるものに限らず、取り付け容易な他の手段でもよい。
【００２４】
また、前記上部防護シート２のシート２ａの下端部には係止棒７が設けられ、当該係止棒７の両端部の、前記ラック１の両側枠１ａに当接する箇所には磁石８が内蔵されている。従って、上部防護シート２のシート２ａをロール支持部４のロール状部から引き出し、その先端部の係止棒７の両端を、前記ラック１の各両側枠１ａに当接すれば、係止棒７は前記両側枠１ａに磁力により吸着され、係止される構成となっている。
【００２５】
また、図１に示すように、下部防護シート３にも同様な係止棒９及び磁石１０が設けられ、前記ラック１の各両側枠１ａに当接すれば、係止棒９は両側枠１ａに磁力により吸着され、係止される構成となっている。
【００２６】
なお、前記係止棒７及び９の磁石８及び１０に代えて、これらの係止棒７及び９の両端部に粘着テープを貼りつけ、当該粘着テープで前記ラック１の各両側枠１ａに貼着する構成にすることもできる。さらに、これらの磁石や粘着テープに限らず、係止棒７又は９を前記ラック１の両側枠１ａにワイヤで巻き付けたり、クリップで挟んで留めることもできる。これにより、防護シート２及び３は外れたり、めくれたりしない。
【００２７】
そして、図１は、ラック１の上から３段目の通信機器Ｃの工事の例を示し、当該３段目以外の通信機器Ｃは上部防護シート２及び下部防護シート３で被われている。そして、工事する通信機器Ｃが最上段の場合は、図４に示すように、最上段の通信機器Ｃを露出させ、他の段の通信機器Ｃは下部防護シート３で被うことができる。また、工事する通信機器Ｃが最下段の場合は、図５に示すように、最下段の通信機器Ｃを露出させ、他の段の通信機器Ｃは上部防護シート２で被うことができる。
【００２８】
このように、工事する通信機器Ｃがどこの段であっても、上部防護シート２又は下部防護シート３のラック１への取り付けを付け替えることなく、上部防護シート２又は下部防護シート３を引き下げたり、引き上げたりすればよく、工事対象以外の通信機器Ｃを容易かつ迅速に遮蔽することができる。
【００２９】
（実施の形態例２）
図６は、この考案の実施の形態例２の防護シートＢを示す。この実施の形態例２では、上部防護シート２の下端部と下部防護シート３の上端部の係止棒７と９をロープ１１で連結したもので、他の構成は実施の形態例１と同じである。
【００３０】
このロープ１１の長さは、各段の通信機器Ｃの上下の幅と同じ長さである。この場合、工事対象の通信機器Ｃが上方の段である場合は、上部防護シート２を引き上げれば、下部防護シート３はこれに伴って引き上げられる。また、工事対象の通信機器Ｃが下方の段である場合は、下部防護シート３を引っ張って引き下げれば、上部防護シート２はこれに伴って引き下げられる。
【００３１】
この様に、上部防護シート２及び下部防護シート３をロープ１１で連結しておけば、段の異なる通信機器Ｃの工事を連続して行う際、極めて容易に工事対象以外の段の通信機器をシートで遮蔽、保護することができる。なお、この実施の形態例２ではロープ１１を用いたが、紐やワイヤ等、他のものも使用できる。
【符号の説明】
【００３２】
Ａ        工事用防護シート          Ｂ      工事用防護シート
Ｃ        通信機器
１        ラック                    １ａ    両側枠 
１ｃ      金具係止穴                ２      上部防護シート
２ａ      シート                    ３      下部防護シート
３ａ      シート                    ４      ロール支持部
５        ロール支持部              ６      フック
７        係止棒                    ８      磁石
９        係止棒                    １０    磁石
１１      ロープ                    
【図１】
0003233328.tif 000003
【図２】
0003233328.tif 000004
【図３】
0003233328.tif 000005
【図４】
0003233328.tif 000006
【図５】
0003233328.tif 000007
【図６】
0003233328.tif 000008